(57)【要約】【課題】携帯端末の記憶部から検索されたデータを、端末位置に応じた表示順序で表示する。【解決手段】文字入力モードにおいて、入力部８０１から１文字入力されると、検索部８０７はその入力文字より予測される単語を単語記憶部８０３から検索する。同時に、検索部８０８は、地域別単語記憶部８０４に記憶された地域別の単語のうち、自端末の現在位置に対応する地域別の単語の中から前記入力文字より予測される単語を検索する。並べ替え部８０９は、検索部８０８で検索された単語を、検索部８０９でも同じものが検索されたかどうかに基づいて並べ替えて表示部８０２に表示する。【選択図】図８
2007108971.tif 000002
【特許請求の範囲】
【請求項１】
検索対象データおよび端末位置対応データを記憶する記憶手段と、前記記憶手段に記憶された検索対象データに対し検索して得られた検索結果を、前記記憶手段に記憶された端末位置対応データのうちの自端末の位置に対応するデータに基づいて並べ替えて表示部に表示する制御手段とを備えたことを特徴とする携帯端末における検索装置。
【請求項２】
前記記憶手段は、検索対象データである単語を記憶する第１の記憶部と、端末位置対応データである単語を地域別に記憶する第２の記憶部とを有し、
前記制御手段は、前記第１の記憶部に記憶された単語を入力文字に基づいて検索する第１の検索部と、前記第２の記憶部に記憶された地域別の単語のうち自端末の位置に対応する地域別の単語を前記入力文字に基づいて検索する第２の検索部とを有し、
前記制御手段は、前記第１の検索部で検索された単語を、前記第２の検索部でも同じものが検索されたかどうかに基づいて並べ替えることを特徴とする請求項１記載の携帯端末における検索装置。
【請求項３】
前記制御手段は、自端末の現在位置に対応する地域別の単語が前記第２の記憶部にない場合にネットワークよりダウンロードする手段を備えたことを特徴とする請求項２記載の携帯端末における検索装置。
【請求項４】
前記記憶手段は、検索対象データである電話帳データを記憶する第１の記憶部と、端末位置対応データである市外局番を地域別に記憶する第２の記憶部とを有し、
前記制御手段は、前記第１の記憶部に記憶された電話帳データを入力キーワードに基づいて検索する第１の検索部と、前記第２の記憶部に記憶された市外局番のうち自端末の位置に対応する地域の市外局番を検索する第２の検索部とを有し、
前記制御手段は、前記第１の検索部で検索された電話帳データを、前記第２の検索部で検索された市外局番と同じ市外局番の電話番号を含むかどうかに基づいて並べ替えることを特徴とする請求項１記載の携帯端末における検索装置。
【請求項５】
検索対象データおよび端末位置対応データを記憶する記憶手段に記憶された検索対象データに対し検索して得られた検索結果を前記記憶手段に記憶された端末位置対応データのうちの自端末の位置に対応するデータに基づいて並べ替えて表示部に表示することを特徴とする携帯端末における検索方法。
【請求項６】
検索対象データである単語を記憶する第１の記憶部と端末位置対応データである単語を地域別に記憶する第２の記憶部とを有する携帯端末における検索方法であって、
ａ）前記第１の記憶部に記憶された単語を入力文字に基づいて検索するステップ、
ｂ）前記第２の記憶部に記憶された地域別の単語のうち自端末の位置に対応する地域別の単語を前記入力文字に基づいて検索するステップ、
ｃ）前記ステップａで検索された単語を、前記ステップｂでも同じものが検索されたかどうかに基づいて並べ替えて表示部に表示するステップ、
を含むことを特徴とする携帯端末における検索方法。
【請求項７】
検索対象データである電話帳データを記憶する第１の記憶部と端末位置対応データである市外局番を地域別に記憶する第２の記憶部とを有する携帯端末における検索方法であって、
ａ）前記第１の記憶部に記憶された電話帳データを入力キーワードに基づいて検索するステップ、
ｂ）前記第２の記憶部に記憶された市外局番のうち自端末の位置に対応する地域の市外局番を検索するステップ、
ｃ）前記ステップａで検索された電話帳データを、前記ステップｂで検索された市外局番と同じ市外局番の電話番号を含むかどうかに基づいて並べ替えて表示部に表示するステップ、
を含むことを特徴とする携帯端末における検索方法。
【請求項８】
検索対象データである単語を記憶する第１の記憶部と端末位置対応データである単語を地域別に記憶する第２の記憶部とを有する携帯端末を構成するコンピュータに、
ａ）前記第１の記憶部に記憶された単語を入力文字に基づいて検索するステップ、
ｂ）前記第２の記憶部に記憶された地域別の単語のうち自端末の位置に対応する地域別の単語を前記入力文字に基づいて検索するステップ、
ｃ）前記ステップａで検索された単語を、前記ステップｂでも同じものが検索されたかどうかに基づいて並べ替えて表示部に表示するステップ、
を実行させるためのプログラム。
【請求項９】
検索対象データである電話帳データを記憶する第１の記憶部と端末位置対応データである市外局番を地域別に記憶する第２の記憶部とを有する携帯端末を構成するコンピュータに、
ａ）前記第１の記憶部に記憶された電話帳データを入力キーワードに基づいて検索するステップ、
ｂ）前記第２の記憶部に記憶された市外局番のうち自端末の位置に対応する地域の市外局番を検索するステップ、
ｃ）前記ステップａで検索された電話帳データを、前記ステップｂで検索された市外局番と同じ市外局番の電話番号を含むかどうかに基づいて並べ替えて表示部に表示するステップ、
を実行させるためのプログラム。
【発明の詳細な説明】
【技術分野】
【０００１】
本発明は携帯端末における検索方法および装置に関し、特に位置情報を用いた検索方法および装置に関する。
【背景技術】
【０００２】
携帯電話端末やデジタルカメラなどの携帯端末においては、内蔵メモリに記憶された種々のデータに対して検索が行われている。例えば携帯電話端末では、文字入力の際に、利用者から入力された読みで単語データを検索して候補単語として表示し、利用者に選択させるようにしている。具体的には、頭文字１文字で入力単語を予測して提示する予測変換機能（ワード予測）を持つ携帯電話端末において、例えば「は」を入力すると、過去に入力された単語データを検索して、「ハル」「遥か」「花を」「春が」などを予測候補として使用頻度の高い順に表示し、選択させるようにしている。
【０００３】
他方、携帯端末において情報を入力する際に、その端末が存在する位置情報を用いるアイデアが特許文献１に提案されている。この特許文献１では、携帯端末であるデジタルカメラを情報入力モードにし、例えば「と」の文字を入力すると、その文字と端末の現在位置とが情報サーバに送られ、現在位置と「と」で始まる単語をキーにデータベースから「東京」「東京都」「都内」等が入力候補情報として検索されて携帯端末に返却され、一方、携帯端末内でも内部辞書から「と」で始まる単語「都市」「鳥」「トマト」「東京タワー」等が検索され、情報サーバから返却された入力候補情報と一緒に入力画面に表示され、利用者による選択を可能にする。
【０００４】
【特許文献１】特開２００４−１５３３９８号公報
【発明の開示】
【発明が解決しようとする課題】
【０００５】
上述した従来技術によると、携帯端末において文字情報を入力する際に、現在位置に対応する単語を入力候補情報として提示することが可能になる。しかし、携帯端末の内蔵メモリから検索されたデータについては、現在位置に応じた優先順序で表示されない。すなわち、前述した例では、内部辞書から「と」で始まる単語「都市」「鳥」「トマト」「東京タワー」等が検索されているが、それらの単語と現在位置との関係が不明なため、例えば「東京タワー」を最上位に表示する如く現在位置に応じた優先順序で表示することができないという課題がある。
【０００６】
本発明はこのような事情に鑑みて提案されたものであり、その目的は、携帯端末の内蔵メモリから検索されたデータを端末位置に応じた表示順序で表示することのできる携帯端末における検索方法および検索装置を提供することにある。
【課題を解決するための手段】
【０００７】
本発明の第１の携帯端末における検索装置は、検索対象データおよび端末位置対応データを記憶する記憶手段と、前記記憶手段に記憶された検索対象データに対し検索して得られた検索結果を前記記憶手段に記憶された端末位置対応データのうちの自端末の位置に対応するデータに基づいて並べ替えて表示部に表示する制御手段とを備えたことを特徴とする。
【０００８】
本発明の第２の携帯端末における検索装置は、第１の携帯端末における検索装置において、前記記憶手段は、検索対象データである単語を記憶する第１の記憶部と、端末位置対応データである単語を地域別に記憶する第２の記憶部とを有し、前記制御手段は、前記第１の記憶部に記憶された単語を入力文字に基づいて検索する第１の検索部と、前記第２の記憶部に記憶された地域別の単語のうち自端末の位置に対応する地域別の単語を前記入力文字に基づいて検索する第２の検索部とを有し、前記制御手段は、前記第１の検索部で検索された単語を、前記第２の検索部でも同じものが検索されたかどうかに基づいて並べ替えることを特徴とする。
【０００９】
本発明の第３の携帯端末における検索装置は、第２の携帯端末における検索装置において、前記制御手段は、自端末の現在位置に対応する地域別の単語が前記第２の記憶部にない場合にネットワークよりダウンロードする手段を備えたことを特徴とする。
【００１０】
本発明の第４の携帯端末における検索装置は、第１の携帯端末における検索装置において、前記記憶手段は、検索対象データである電話帳データを記憶する第１の記憶部と、端末位置対応データである市外局番を地域別に記憶する第２の記憶部とを有し、前記制御手段は、前記第１の記憶部に記憶された電話帳データを入力キーワードに基づいて検索する第１の検索部と、前記第２の記憶部に記憶された市外局番のうち自端末の位置に対応する地域の市外局番を検索する第２の検索部とを有し、前記制御手段は、前記第１の検索部で検索された電話帳データを、前記第２の検索部で検索された市外局番と同じ市外局番の電話番号を含むかどうかに基づいて並べ替えることを特徴とする。
【００１１】
本発明の第１の携帯端末における検索方法は、検索対象データおよび端末位置対応データを記憶する記憶手段に記憶された検索対象データに対し検索して得られた検索結果を前記記憶手段に記憶された端末位置対応データのうちの自端末の位置に対応するデータに基づいて並べ替えて表示部に表示することを特徴とする。
【００１２】
本発明の第２の携帯端末における検索方法は、検索対象データである単語を記憶する第１の記憶部と端末位置対応データである単語を地域別に記憶する第２の記憶部とを有する携帯端末における検索方法であって、ａ）前記第１の記憶部に記憶された単語を入力文字に基づいて検索するステップ、ｂ）前記第２の記憶部に記憶された地域別の単語のうち自端末の位置に対応する地域別の単語を前記入力文字に基づいて検索するステップ、ｃ）前記ステップａで検索された単語を、前記ステップｂでも同じものが検索されたかどうかに基づいて並べ替えて表示部に表示するステップ、を含むことを特徴とする。
【００１３】
本発明の第３の携帯端末における検索方法は、検索対象データである電話帳データを記憶する第１の記憶部と端末位置対応データである市外局番を地域別に記憶する第２の記憶部とを有する携帯端末における検索方法であって、ａ）前記第１の記憶部に記憶された電話帳データを入力キーワードに基づいて検索するステップ、ｂ）前記第２の記憶部に記憶された市外局番のうち自端末の位置に対応する地域の市外局番を検索するステップ、ｃ）前記ステップａで検索された電話帳データを、前記ステップｂで検索された市外局番と同じ市外局番の電話番号を含むかどうかに基づいて並べ替えて表示部に表示するステップ、を含むことを特徴とする。
【００１４】
本発明の第１のプログラムは、検索対象データである単語を記憶する第１の記憶部と端末位置対応データである単語を地域別に記憶する第２の記憶部とを有する携帯端末を構成するコンピュータに、ａ）前記第１の記憶部に記憶された単語を入力文字に基づいて検索するステップ、ｂ）前記第２の記憶部に記憶された地域別の単語のうち自端末の位置に対応する地域別の単語を前記入力文字に基づいて検索するステップ、ｃ）前記ステップａで検索された単語を、前記ステップｂでも同じものが検索されたかどうかに基づいて並べ替えて表示部に表示するステップ、を実行させることを特徴とする。
【００１５】
本発明の第２のプログラムは、検索対象データである電話帳データを記憶する第１の記憶部と端末位置対応データである市外局番を地域別に記憶する第２の記憶部とを有する携帯端末を構成するコンピュータに、ａ）前記第１の記憶部に記憶された電話帳データを入力キーワードに基づいて検索するステップ、ｂ）前記第２の記憶部に記憶された市外局番のうち自端末の位置に対応する地域の市外局番を検索するステップ、ｃ）前記ステップａで検索された電話帳データを、前記ステップｂで検索された市外局番と同じ市外局番の電話番号を含むかどうかに基づいて並べ替えて表示部に表示するステップ、を実行させることを特徴とする。
【００１６】
『作用』
本発明においては、記憶手段が検索対象データＡ、Ｂ、Ｃ、…Ｎ等を記憶すると共に、端末位置ａに対応するデータＡ、端末位置ｂに対応するデータＢ等、端末位置に対応するデータを記憶し、制御手段が、記憶手段を検索して１以上のデータＡ、Ｂ、Ｃが得られた場合、現在の携帯端末の位置をｂとすると、位置ｂに対応するデータＢを記憶手段から検索し、検索対象データから検索された１以上のデータＡ、Ｂ、Ｃを、端末位置対応データから検索されたデータＢと同じものを含むデータの表示優先順位が高くなるように、Ｂ、Ａ、Ｃと並べ替えて表示部に表示することにより、携帯端末の記憶手段から検索されたデータを端末位置に応じた表示優先順序で表示する。
【発明の効果】
【００１７】
本発明によれば、携帯端末の単語データや電話帳データなどを記憶する第１の記憶部から検索されたデータを、端末位置に応じた表示順序で表示することができる。その理由は、端末位置に対応するデータを地域別単語データや市外局番データとして第２の記憶部に記憶しておき、第１の記憶部から検索された１以上のデータを、第２の記憶部から検索されたデータに基づいて並べ替えるためである。
【００１８】
このため、本発明を単語データの検索に適用すれば、不慣れな土地で現在地に関係する内容のメール文などを作成する際、現在地に関連する単語を優先的に表示でき、携帯端末における情報の入力作業の効率を高めることが可能である。
【００１９】
また本発明を電話帳検索に適用すれば、地方に出張した場合などにその地方に居る知人や友人あるいは関係者の電話帳データを優先的に表示することが可能となる。
【発明を実施するための最良の形態】
【００２０】
次に本発明の実施の形態について図面を参照して詳細に説明する。
【００２１】
『第１の実施の形態』
図８を参照すると、本発明の第１の実施の形態にかかる携帯端末８００は、入出力部としての入力部８０１および表示部８０２と、記憶部としての単語記憶部８０３、地域別単語記憶部８０４および現在位置保持部８０５と、機能部としての制御部８０６とを備え、制御部８０６は、検索部８０７、８０８および並べ替え部８０９を有する。
【００２２】
ユーザにより入力部８０１から１文字が入力されると、制御部８０６の検索部８０７は、その入力文字をキーにして単語記憶部８０３を検索し、その検索結果を並べ替え部８０９に出力する。同時に検索部８０８は、地域別単語記憶部８０４に記憶されている地域別単語のうち、現在位置保持部８０５に保持されている自端末８００の現在位置に対応する地域別単語を前記入力文字をキーに検索し、その検索結果を並べ替え部８０９に出力する。並べ替え部８０９は、検索部８０７から出力された検索結果に含まれる単語のうち、検索部８０８から出力された検索結果に同じものが含まれる単語の表示優先順位が高くなるように、検索部８０７が出力した単語を並べ替えて表示部８０２に表示する。
【００２３】
これにより、単語記憶部８０３の検索時、携帯端末８００が存在する地域に関係する単語を他の単語より上位に表示する制御が可能になる。
【００２４】
『第２の実施の形態』
図９を参照すると、本発明の第２の実施の形態にかかる携帯端末９００は、入出力部としての入力部９０１および表示部９０２と、記憶部としての電話帳データ記憶部９０３、市外局番データ記憶部９０４および現在位置保持部９０５と、機能部としての制御部９０６とを備え、制御部９０６は、検索部９０７、９０８および並べ替え部９０９を有する。
【００２５】
ユーザにより入力部９０１から電話帳検索のキーワードが入力されると、制御部９０６の検索部９０７は、そのキーワードにより電話帳データ記憶部９０３を検索し、その検索結果を並べ替え部９０９に出力する。同時に検索部９０８は、現在位置保持部９０５に保持されている自端末９００の現在位置をキーワードに市外局番データ記憶部９０４を検索し、その検索結果を並べ替え部９０９に出力する。並べ替え部９０９は、検索部９０７から出力された検索結果に含まれる電話帳データのうち、検索部９０８から出力された検索結果に含まれる市外局番と同じ市外局番の電話番号を含む電話帳データの表示優先順位が高くなるように、検索部９０７が出力した電話帳データを並べ替えて表示部９０２に表示する。
【００２６】
これにより、電話帳の検索時、携帯端末９００が存在する地域の電話番号の電話帳データを他の地域の電話番号の電話帳データより上位に表示する制御が可能になる。
【実施例】
【００２７】
次に本発明の実施例について図面を参照して詳細に説明する。
【００２８】
図１を参照すると、本発明を適用した携帯電話端末１００のハードウェア構成の一例は、電波を送受信するアンテナ１０１、無線制御を行う無線部１０２、端末全体の動作を制御するＣＰＵ等で構成される制御部１０３、文字入力の内容や検索結果などを表示する表示部１０４、文字入力を行うキー１０５、および各種のデータが蓄えられているメモリ１０６を含んで構成され、ネットワーク１０７と無線により接続される。
【００２９】
図２を参照すると、携帯電話端末１００の表示部１０４には、メール文の作成時、上側に本文入力部２０１が表示され、下側に予測変換表示部２０２が表示される。本文入力部２０１には、作成中のメール文の内容が表示される。予測変換表示部２０２には、本文入力部２０１に入力された文字列のうち、反転表示されている文字から予測された入力候補文字が１以上表示され、その任意のものをキー１０５の操作によって選択すると、選択された入力候補文字が本文入力部２０１に入力されるようになっている。
【００３０】
図３を参照すると、メモリ１０６には、単語データ部３０１、地域別単語データ部３０２、電話帳データ部３０３、市外局番データ部３０４、その他記憶部３０５が備えられている。単語データ部３０１には、予測変換候補となる単語がその使用頻度情報と共に記憶されている。地域別単語データ部３０２には、予め定められた地域毎にその地域に関係する単語が記憶されている。図３の例の場合、地域別単語データ部３０２は、東京都２３区３０２−１、東京都西部３０２−２、神奈川県東部３０２−３、神奈川県西部３０２−４、静岡県伊豆地方３０２−５、…に区分されている。電話帳データ部３０３には、電話帳データが１以上記憶されている。１個の電話帳データは、電話番号、名前、フリガナ、メールアドレス、グループ番号、メモリ番号などを含む。市外局番データ部３０４には、位置情報に対応して各地域ごとの市外局番が記憶されている。その他記憶部３０５には、自端末の現在位置情報、かな漢字変換辞書などの辞書データ、制御部１０３で実行されるプログラムなどが記憶される。
【００３１】
図４は予測変換検索結果および電話帳検索結果の表示順序の並べ替え処理の概念図、図５は参照する地域別単語データの設定処理の一例を示すフローチャート、図６は予測変換検索結果の表示順序の並べ替え処理の一例を示すフローチャート、図７は電話帳検索結果の表示順序の並べ替え処理の一例を示すフローチャートである。以下、各図を参照して本実施例の動作を説明する。
【００３２】
＜文字入力の予測変換＞
携帯電話端末１００を所持するユーザが移動することにより、携帯電話端末１００の位置が変わると、そのことがネットワークベースで検知されて携帯電話端末１００の位置情報が更新され、ネットワーク１０７から更新後の位置情報が携帯電話端末１００に送られてくる。ここで、ネットワークベースで携帯電話端末の位置を測位する方式には、携帯電話端末の在圏する基地局のセルの位置をベースとする方式、基地局から携帯電話端末に到達する電波の時間差や方位等を利用する方式などがある。
【００３３】
自身の位置情報をアンテナ１０１を通じて無線部１０２で受信した携帯電話端末１００の制御部１０３は、更新された位置情報をメモリ１０６に保存すると共に、メモリ１０６の地域別単語データ部３０２を検索して、更新された位置情報に該当する地域別単語データが存在するかどうかを調べる（Ｓ５０１、Ｓ５０２）。これは、例えば各地域別単語データ３０２−１〜３０２−５等の先頭部分に当該区分に含まれる位置情報を記録しておき、更新後の位置情報が記録された区分が存在するかどうか調べることで可能である。
【００３４】
そして、該当する地域別単語データが存在するならば、それを文字入力の予測変換を行う際に参照する地域別単語データとして設定する（Ｓ５０３）。これは、例えば文字入力の予測変換を行う際に参照する地域別単語データの先頭アドレスと最終アドレスとを記録するテーブルに、該当する地域別単語データの先頭アドレスと最終アドレスとを保存することで行う。他方、該当する地域別単語データが存在しないならば、制御部１０３は、無線部１０２およびアンテナ１０１を通じてネットワーク１０７の図示しないサーバ装置に対して、該当する地域別単語データのダウンロードを要求し、必要な地域別単語データをダウンロードする（Ｓ５０４）。ダウンロードした地域別単語データは、新たなデータとして地域別単語データ部３０２に保存し（Ｓ５０５）、文字入力の予測変換を行う際に参照する地域別単語データとして設定する（Ｓ５０３）。
【００３５】
次に上記のように設定された地域別単語データを使って、文字入力の予測変換の検索結果の表示順序を制御する方法について説明する。
【００３６】
図２に示されるように、文字入力画面にて、ユーザがキー１０５にて表示部１０４の本文入力部２０１に適当な文字を入力し（図６のＳ６０１）、予測変換を開始するキーを押下すると（Ｓ６０２）、制御部１０３は、メモリ１０６の単語データ部３０１から、入力された文字により予測される単語を検索し（Ｓ６０３）、同時に、前記設定された地域別単語データからも、入力された文字により予測される単語を検索する（Ｓ６０４）。そして、単語データ部３０１から検索された単語と地域別単語データから検索された単語とを比較し（Ｓ６０５）、単語データ部３０１から検索された単語のうち地域別単語データに一致するものがあった単語を優先して表示するように、単語データ部３０１から検索された単語を並べ替えて（Ｓ６０６）、表示部１０４の予測変換表示部２０２に表示する（Ｓ６０７）。他方、メモリ１０６の地域別単語データに同じ単語が存在しなかった場合、単語データ部３０１の検索結果を元の順番で表示部１０４の予測変換表示部２０２に表示する（Ｓ６０７）。
【００３７】
例えば図４（Ａ）の符号４０１、４０２に示されるように、単語データ部３０１から単語Ａ、Ｂ、Ｃ、Ｄ、Ｅ（ここで、Ａ〜Ｅのそれぞれは１つの単語であり、例えばＡは愛、Ｂは明日、Ｃは相手、Ｄは浅草、Ｅは秋葉原とする）が検索され、設定された地域別単語データからＤとＥとが検索されたとすると、並べ替え前の状態では単語Ａ〜Ｅはその使用頻度の高い順に並べられているが、並べ替え後は、地域別単語データに存在した単語Ｄ、Ｅが最初に表示されるように並べ替えられる。これによって、使用頻度が低い単語であっても、携帯電話端末１００が存在する地域に関係する単語の表示順序の優先度を高くすることが可能となる。
【００３８】
＜電話帳検索＞
次に電話帳を検索する際の動作を説明する。
【００３９】
電話帳検索を起動し、ユーザがキー１０５にて電話帳を検索するためのキーワードを入力し（Ｓ７０１）、電話帳検索を開始するキーを押下すると（Ｓ７０２）、制御部１０３は、メモリ１０６の電話帳データ部３０３から前記キーワードを含む電話帳データを検索する（Ｓ７０３）。ここで、キーワードとしては、名前の一部、フリガナの一部、電話番号の一部、メールアドレスの一部、グループ番号、行（アカサタナ順）を使用することができる。同時に制御部１０３は、アンテナ１０１および無線部１０２を通じてネットワーク１０７から受信した自携帯電話端末１００の位置情報をキーにメモリ１０６の市外局番データ部３０４を検索し、自携帯電話端末１００が現在いる地域の市外局番を取得する（Ｓ７０４）。そして、電話帳データ部３０３から検索された電話帳データが１件だけの場合（Ｓ７０５でＮｏ）、その１件の電話帳データを表示部１０４に表示する。また、複数件あった場合、それらの市外局番と市外局番データ部３０４から検索された現在地の市外局番とを比較し（Ｓ７０７）、一致するものがなければ、電話帳データ部３０３から検索された複数の電話帳データを元の順番で表示部１０４に表示する。しかし、一致するものがあった場合、現在地の市外局番を持つ電話帳データをそれ以外の電話帳データより優先して表示するように並べ替えて（Ｓ７０８）、表示部１０４に表示する（Ｓ７０６）。
【００４０】
例えば図４（Ｂ）の符号４１１、４１２に示されるように、電話帳データ部３０３から電話帳データＰ、Ｑ、Ｒ、Ｓ、Ｔ（ここで、Ｐ〜Ｔのそれぞれは１つの電話帳データであり、それに含まれる電話番号の市外局番は、Ｐは０６、Ｑは０４２、Ｒは０７２、ＳとＴは０３になっているとする）が検索され、市外局番データ部３０４から検索された市外局番が０３であったとすると、並べ替え前の状態では電話帳データＰ〜Ｔはその使用頻度の高い順に並べられているが、並べ替え後は、現在地の市外局番０３を持つ電話帳データＳ、Ｔが最初に表示されるように並べ替えられる。これによって、使用頻度が低い電話帳データであっても、携帯電話端末１００が存在する地域の市外局番を持つ電話帳データが優先して表示されるようになる。
【００４１】
次に本実施例の効果を説明する。
【００４２】
本実施例によれば、携帯電話端末における文字入力時、アンテナ１０１を通じてネットワーク１０７から受信する自携帯電話端末１００の位置情報をもとに、その地域に関係する単語を予測変換の検索結果で上位に表示させることができる。このため、現在地に関係する内容のメールを作成するときに、普段使い慣れていない単語でも予測変換の検索結果から簡単に選択できるようになり、素早く文字を入力することが可能となる。
【００４３】
また本実施例によれば、携帯電話端末における電話帳検索時、アンテナ１０１を通じてネットワーク１０７から受信する自携帯電話端末１００の位置情報をもとに、ユーザが現在居る地域の市外局番と同じ市外局番の電話番号の電話帳データを上位に表示させることができる。
【００４４】
以上本発明の実施の形態および実施例について説明したが、本発明は以上の例に限定されずその他各種の付加変更が可能である。
【００４５】
例えば、以上の実施例は端末の位置情報をネットワークベースで検出するものとしたが、ＧＰＳ等により端末側で位置を測位するものであっても良い。
【００４６】
また以上の実施例は、文字入力時の検索として単語データの予測変換を例にしたが、仮名漢字変換辞書の検索時にも同様に適用可能である。この場合、単語データ部３０１の代わりに仮名漢字変換辞書、地域別単語データ部３０２の代わりに地域別の仮名漢字変換辞書を使用し、制御部１０３は、入力された仮名に対応する漢字の候補を仮名漢字変換辞書から検索すると同時に、入力された仮名に対応する地域別の漢字の候補を現在地の地域別仮名漢字変換辞書から検索し、仮名漢字変換辞書で得られた漢字の候補を、地域別仮名漢字変換辞書でも同じものが検索されたかどうかに基づいて並べ替えて表示する。これにより、例えば「さわら」と入力されて仮名漢字変換が指示された場合、仮名漢字変換辞書から使用頻度順で「砂原、鰆、早良、佐原」と出力された場合でも、現在地域が千葉であれば、地域別仮名漢字変換辞書から「佐原」が出力されるため、「佐原、砂原、鰆、早良、」という順番で表示させることができる。
【００４７】
さらに、本発明にかかる携帯端末の検索装置は、その有する機能をハードウェア的に実現することは勿論、コンピュータとプログラムとで実現することができる。プログラムは、磁気ディスクや半導体メモリ等のコンピュータ可読記録媒体に記録されて提供され、携帯端末を構成するコンピュータの立ち上げ時などにコンピュータに読み取られ、そのコンピュータの動作を制御することにより、そのコンピュータを前述した各実施の形態および実施例における制御部として機能させ、前述した処理を実行させる。
【図面の簡単な説明】
【００４８】
【図１】本発明を適用した携帯電話端末のハードウェア構成の一例を示すブロック図である。
【図２】本発明を適用した携帯電話端末の表示部の表示例を示す図である。
【図３】本発明を適用した携帯電話端末のメモリの構成例を示す図である。
【図４】本発明を適用した携帯電話端末における予測変換検索結果および電話帳検索結果の表示順序の並べ替え処理の概念図である。
【図５】本発明を適用した携帯電話端末における参照する地域別単語データの設定処理の一例を示すフローチャートである。
【図６】本発明を適用した携帯電話端末における予測変換検索結果の表示順序の並べ替え処理の一例を示すフローチャートである。
【図７】本発明を適用した携帯電話端末における電話帳検索結果の表示順序の並べ替え処理の一例を示すフローチャートである。
【図８】本発明の第１の実施の形態のブロック図である。
【図９】本発明の第２の実施の形態のブロック図である。
【符号の説明】
【００４９】
１０１…アンテナ
１０２…無線部
１０３…制御部
１０４…表示部
１０５…キー
１０６…メモリ
１０７…ネットワーク
【図１】
2007108971.tif 000003
【図２】
2007108971.tif 000004
【図３】
2007108971.tif 000005
【図４】
2007108971.tif 000006
【図５】
2007108971.tif 000007
【図６】
2007108971.tif 000008
【図７】
2007108971.tif 000009
【図８】
2007108971.tif 000010
【図９】
2007108971.tif 000011